(57)【特許請求の範囲】
【請求項１】
一つまたは複数の電波周波数（RF）トランシーバと；
一つまたは複数のRFアンテナと；
論理とを有するユーザー装置（UE）であって、前記論理の少なくとも一部はハードウェアであり、前記論理は：
デュアル接続モードでの進化型の万国移動体通信システム地上波電波アクセス・ネットワーク（E-UTRAN）における動作の間に前記UEによって適用されるべき一つまたは複数のセル間調整された小セルDRXパラメータを含む小セル不連続受信（DRX）構成設定IEを含む小セルRRC構成設定情報要素（IE）を有する電波資源制御（RRC）構成設定情報メッセージを受領することであって、前記デュアル接続モードに従うと当該UEは、当該UEについてのマスターセル・グループ（MCG）のマスター進化型ノードB（MeNB）および当該UEについての副次セル・グループ（SCG）の副次進化型ノードB（SeNB）と同時並行したデータ接続を提供され、前記一つまたは複数のセル間調整された小セルDRXパラメータが、前記MCGと前記SCGの間のタイミング・オフセットを示す小セルDRXオフセット値を含む、ことと；
小セルDRXサイクルについての開始時刻を、前記小セルDRXオフセット値に基づいて決定することと；
決定された開始時刻において前記小セルDRXサイクルを開始することとを実行する、
UE。
【請求項２】
前記小セルDRXオフセット値が前記タイミング・オフセットを、1サブフレームより大きくない粒度のレベルで示す、請求項１記載のUE。
【請求項３】
前記小セルDRX構成設定IEが、当該UEの小セルDRX動作を制御するための小セルDRXパラメータの集合を含む、請求項１記載のUE。
【請求項４】
小セルDRXパラメータの前記集合が、当該UEのサービスする小セルの長いDRXサイクルを、当該UEのサービスするマクロセルの長いDRXサイクルと揃えるよう選択された一つまたは複数のパラメータを含む、請求項３記載のUE。
【請求項５】
小セルDRXパラメータの前記集合が、当該UEのサービスする小セルのDRX「オン」継続時間を、当該UEのサービスするマクロセルのDRX「オン」継続時間と揃えるよう選択された一つまたは複数のパラメータを含む、請求項３記載のUE。
【請求項６】
タッチスクリーン・ディスプレイを有する請求項１ないし５のうちいずれか一項記載のUE。
【請求項７】
少なくとも一つの電波周波数（RF）トランシーバと；
少なくとも一つのRFアンテナと；
論理とを有する進化型ノードB（eNB）であって、前記論理の少なくとも一部はハードウェアであり、前記論理は：
デュアル接続モードで進化型の万国移動体通信システム地上波電波アクセス・ネットワーク（E-UTRAN）において動作するユーザー装置（UE）についてのマクロセル不連続受信（DRX）パラメータの集合を選択することであって、前記デュアル接続モードに従うと前記UEは、前記UEについてのマスターセル・グループ（MCG）のマスター進化型ノードB（MeNB）および前記UEについての副次セル・グループ（SCG）の副次進化型ノードB（SeNB）と同時並行したデータ接続を提供される、ことと；
小セル・タイミング情報を含むX2インターフェース・メッセージを受領することと；
前記小セル・タイミング情報に基づいて小セルDRXオフセット値を決定することであって、前記小セルDRXオフセット値は、前記UEについての前記MCGと前記UEについての前記SCGの間のタイミング・オフセットを示す、ことと；
マクロセルDRXパラメータの前記集合および前記小セルDRXオフセット値を含む電波資源制御（RRC）構成設定メッセージを送ることとを実行する、
eNB。
【請求項８】
前記小セル・タイミング情報は小セル・システム・フレーム番号（SFN）と、該小セルSFNに対応する小セル・フレームの開始時刻を含む絶対時刻とを含む、請求項７記載のeNB。
【請求項９】
前記小セル・タイミング情報は小セル・システム・フレーム番号（SFN）と、小セル・サブフレーム番号と、前記小セルSFNに対応する小セル・フレーム内の小セル・サブフレームの開始時刻を含む絶対時刻とを含み、前記小セル・サブフレームは前記小セル・サブフレーム番号に対応する、請求項７記載のeNB。
【請求項１０】
前記論理は、前記小セルDRXオフセット値を、1サブフレーム未満の粒度のレベルで決定する、請求項７記載のeNB。
【請求項１１】
前記RRC構成設定メッセージが、マクロセルDRXパラメータの前記集合を含むRadioResourceConfigDedicated  IEを含み、前記小セルDRXオフセット値を含む小セルRRC構成設定IEを含む、請求項７記載のeNB。
【請求項１２】
前記小セルRRC構成設定IEが、前記小セルDRXオフセット値を含む小セルDRX構成設定IEを含む、請求項１１記載のeNB。
【請求項１３】
前記論理が、当該eNBによってサービスされるマクロセルに関してDRXモードにはいるよう前記デュアル接続されたUEに命令するようDRXコマンド媒体アクセス制御（MAC）制御要素（CE）を送り、X2インターフェース接続を通じて前記DRXコマンドMAC  CEを転送するようX2  MAC  CEメッセージを送る、請求項７記載のeNB。
【請求項１４】
一つまたは複数の電波周波数（RF）トランシーバと；
一つまたは複数のRFアンテナと；
論理を有する進化型ノードB（eNB）であって、前記論理の少なくとも一部はハードウェアであり、前記論理は、マクロセル・タイミング情報を含むX2タイミング情報メッセージをX2インターフェース接続を通じて受領し、前記論理は：
前記マクロセル・タイミング情報に基づいて、デュアル接続モードで進化型の万国移動体通信システム地上波電波アクセス・ネットワーク（E-UTRAN）において動作するユーザー装置（UE）についての小セル不連続受信（DRX）パラメータの集合を選択することであって、前記デュアル接続モードに従うと前記UEは、前記UEについてのマスターセル・グループ（MCG）のマスター進化型ノードB（MeNB）および前記UEについての副次セル・グループ（SCG）の副次進化型ノードB（SeNB）と同時並行したデータ接続を提供される、ことと；、
前記X2インターフェース接続を通じてX2電波資源制御（RRC）構成設定情報メッセージを送って小セルDRXパラメータの選択された集合を報告することと；
前記X2インターフェース接続を通じて受領されたX2媒体アクセス制御（MAC）制御要素（CE）メッセージに基づいて、前記UEが前記UEの前記MCGに関してDRXモードにはいることを検出することとを実行する、
eNB。
【請求項１５】
前記論理は、前記集合の小セルDRXパラメータの一つまたは複数を、当該eNBによってサービスされる小の長いDRXサイクルを、前記デュアル接続されたUEのサービスするマクロセルの長いDRXサイクルと揃えるよう選択する、請求項１４記載のeNB。
【請求項１６】
前記論理は、前記集合の小セルDRXパラメータの一つまたは複数を、当該eNBによってサービスされる小のDRX「オン」継続時間を、前記デュアル接続されたUEのサービスするマクロセルのDRX「オン」継続時間と揃えるよう選択する、請求項１４記載のeNB。
【請求項１７】
前記論理は、前記マクロセル・タイミング情報に基づいてセル間タイミング・オフセットを決定し、前記セル間タイミング・オフセットに基づいて小セルDRXパラメータの前記集合を選択する、請求項１４記載のeNB。
【請求項１８】
前記論理は、前記セル間タイミング・オフセットをサブフレーム・レベルの粒度で決定する、請求項１７記載のeNB。
【請求項１９】
前記論理が前記X2インターフェース接続を通じて第二のX2タイミング情報メッセージを送り、前記第二のX2タイミング情報メッセージは、当該eNBによってサービスされる小についての小セル・タイミング情報を含む、請求項１４記載のeNB。
【請求項２０】
前記X2  MAC  CEメッセージはDRXコマンドMAC  CEを含む、請求項１４記載のeNB。
【発明の詳細な説明】
【技術分野】
【０００１】
関連案件
本願は2014年1月6日に出願された米国仮特許出願第61/924,194号の優先権を主張するものである。同出願の全体はここに参照によってその全体において組み込まれる。
【０００２】
技術分野
本願の実施形態は概括的にはブロードバンド無線通信ネットワークにおける装置間の通信に関する。
【背景技術】
【０００３】
進化型の万国移動体通信システム（UMTS）地上波電波アクセス・ネットワーク（E-UTRAN）では、進化型ノードB（eNB）とデータ接続を確立したユーザー装置（UE）は不連続受信（DRX:  discontinuous  reception）モードで動作しうる。DRXモードで動作中は、UEは、電力節約のため、いくつかの時間期間の間、その受信器を無効にして低電力状態にはいってもよい。UEが低電力状態にはいる期間の頻度および継続時間は、UEがeNBから受信するDRX設定によって指定されうる。
【０００４】
デュアル接続をサポートするE-UTRANでは、UEは、マスター・セル・グループ（MCG:  master  cell  group）のマスター進化型ノードB（MeNB）および副次セル・グループ（SCG:  secondary  cell  group）の副次進化型ノードB（SeNB）と同時並行したデータ接続を確立することができてもよい。そのようなシナリオでは、UEはMeNBのマクロセル制御チャネルおよびSeNBの小セル制御チャネルをモニタリングすることに関して、相異なるDRX状態およびDRXパラメータの諸集合を認識し、観察する機能をもって構成されてもよい。
【発明の概要】
【発明が解決しようとする課題】
【０００５】
任意の所与の時点において、UEが一方のセルに関してはDRXスリープ状態にあるが他方のセルに関してはDRXアクティブ状態にある場合、UEは低電力状態にはいることができないことがある。よって、そのような整列がないときに存在しうるUEのマクロセルおよび小セルのDRXスリープ状態の間のより大きな度合いの重なりを達成するために、マクロセルおよび小セルのDRXパラメータを揃えることが望ましいことがありうる。
【図面の簡単な説明】
【０００６】
【図１】第一の動作環境のある実施形態を示す図である。
【図２】第二の動作環境のある実施形態を示す図である。
【図３】第一の論理フローのある実施形態を示す図である。
【図４】第二の論理フローのある実施形態を示す図である。
【図５】第三の論理フローのある実施形態を示す図である。
【図６】Ａは第一の記憶媒体の実施形態を示し、Ｂは第二の記憶媒体の実施形態を示す図である。
【図７】装置の実施形態を示す図である。
【図８】無線ネットワークの実施形態を示す図である。
【発明を実施するための形態】
【０００７】
さまざまな実施形態は、概括的には、デュアル接続アーキテクチャについての不連続受信（DRX）整列技法に向けられうる。ある実施形態では、たとえば、ユーザー装置（UE）は、一つまたは複数の電波周波数（RF:  radio  frequency）トランシーバと、一つまたは複数のRFアンテナと、論理とを有していてもよく、それらの少なくとも一部はハードウェアであり、前記論理は、小セルRRC構成設定情報要素（IE:  information  element）を含む電波資源制御（RRC:  radio  resource  control）構成設定情報メッセージを受信し、前記小セルRRC構成設定IEは、一つまたは複数のセル間調整された（inter-cell-coordinated）小セルDRXパラメータを含む小セル不連続受信（DRX）構成設定IEを含み、前記論理は、前記一つまたは複数のセル間調整された小セルDRXパラメータの少なくとも一つに基づいて小セルDRXサイクルについての開始時刻を決定し、決定された開始時刻に小セルDRXサイクルを開始する。他の実施形態も記述され、特許請求される。
【０００８】
さまざまな実施形態は、一つまたは複数の要素を含んでいてもよい。要素は、ある種の動作を実行するよう構成された任意の構造を有しうる。各要素は、設計パラメータまたはパフォーマンス制約条件の所与の集合についての所望に応じて、ハードウェア、ソフトウェアまたはそれらの任意の組み合わせとして実装されてもよい。実施形態は例としてあるトポロジーにおける限られた数の要素をもって記述されることがあるが、該実施形態は、所与の実装についての所望に応じて代替的なトポロジーにおけるより多くのまたはより少ない要素を含んでいてもよい。「一つの実施形態」または「ある実施形態」へのいかなる言及も、その実施形態との関連で記述される特定の特徴、構造または特性が少なくとも一つの実施形態に含まれることを意味するということを注意しておく価値がある。「一つの実施形態では」「いくつかの実施形態では」「さまざまな実施形態において」という句が本明細書の随所に現われることは、必ずしもみなが同じ実施形態を指しているのではない。
【０００９】
本稿に開示される技法は、一つまたは複数の無線移動体ブロードバンド技術を使った一つまたは複数の無線接続を通じたデータの伝送に関わりうる。たとえば、さまざまな実施形態は、一つまたは複数の第三世代パートナーシップ・プロジェクト（3GPP）、3GPPロングターム・エボリューション（LTE）および／または3GPP  LTEアドバンスト（LTE-A）技術および／またはそれらの前身、改訂、後継および／または変形を含む規格に基づく一つまたは複数の無線接続を通じた伝送に関わりうる。さまざまな実施形態は、追加的または代替的に、一つまたは複数のグローバル移動体通信システム（GSM）／GSMエボリューションのための向上データ・レート（EDGE）、万国移動体通信システム（UMTS）／高速パケット・アクセス（HSPA）および／または一般パケット電波サービス（GPRS）付GSMシステム（GSM/GPRS）技術および／またはそれらの前身、改訂、後継および／または変形を含む規格に基づく伝送に関わってもよい。
【００１０】
無線移動体ブロードバンド技術および／または規格の例は、限定するものではないが、IEEE802.16mおよび／または802.16pのような米国電気電子技術者協会（IEEE）802.16無線ブロードバンド規格、国際移動体通信アドバンスト（IMT-ADV）、マイクロ波アクセスのための世界規模相互運用性（WiMAX）および／またはWiMAX  II、符号分割多重アクセス（CDMA）2000（たとえばCDMA2000  1xRTT、CDMA2000  EV-DO、CDMA  EV-DVなど）、高性能電波都市圏ネットワーク（HIPERMAN:  High  Performance  Radio  Metropolitan  Area  Network）、無線ブロードバンド（WiBro）、高速下りリンク・パケット・アクセス（HSDPA）、高速直交周波数分割多重（OFDM）、高速上りリンク・パケット・アクセス（HSUPA）技術および／またはそれらの前身、改訂、後継および／または変形を含む規格をも含んでいてもよい。
【００１１】
いくつかの実施形態は、追加的または代替的に、他の無線通信技術および／または規格に基づく無線通信に関わってもよい。さまざまな実施形態において使用されうる他の無線通信技術および／または規格の例は、限定するものではないが、IEEE802.11、IEEE802.11a、IEEE802.11b、IEEE802.11g、IEEE802.11n、IEEE802.11u、IEEE802.11ac、IEEE802.11ad、IEEE802.11afおよび／またはIEEE802.11ah規格を含む他のIEEE無線通信規格、IEEE802.11高効率WLAN（HEW:  High  Efficiency  WLAN）研究グループによって開発された高効率Wi-Fi規格、Wi-Fi、Wi-Fiダイレクト、Wi-Fiダイレクト・サービス、ワイヤレス・ギガビット（WiGig）、WiGigディスプレイ拡張（WDE）、WiGigバス拡張（WBE）、WiGigシリアル拡張（WSE）規格のようなWi-Fiアライアンス（WFA）無線通信規格および／またはWFAネイバー・アウェアネス・ネットワーキング（NAN）作業部会によって開発された規格、マシン型通信（MTC）規格および／またはNFCフォーラムによって開発された規格のような近距離場通信（NFC）規格を含んでいてもよく、上記の任意のものの任意の前身、改訂、後継および／または変形を含む。実施形態はこれらの例に限定されない。
【００１２】
一つまたは複数の無線接続を通じた伝送に加えて、本稿に開示される技法は、一つまたは複数の有線通信媒体を通した一つまたは複数の有線接続を通じたコンテンツの伝送に関わってもよい。有線通信媒体の例は、ワイヤ、ケーブル、金属リード、プリント回路基板（PCB）、バックプレーン、スイッチ・ファブリック、半導体材料、撚り対線、同軸ケーブル、光ファイバーなどを含んでいてもよい。実施形態はこのコンテキストにおいて限定されない。
【００１３】
図１は、さまざまな実施形態を表わしうるような動作環境１００の例を示している。図１の例示的な動作環境では、MeNB  １０２はX2インターフェース接続１０３を介してSeNB  １０４と通信する。さまざまな実施形態では、X2インターフェース接続１０３は、MeNB  １０２とSeNB  １０４との間のバックホールを介して実装されてもよい。いくつかの実施形態では、バックホールは、3GPP  TR36.932  ver.12.1.0（2013年3月リリース）に基づくおよび／またはその任意の前身、改訂、後継および／または変形に基づく非理想的と分類されているバックホールを含んでいてもよい。SeNB  １０４は一般に、小セル１０８内で無線サービスを提供してもよく、MeNB  １０２は一般に、重畳されたマクロセル１０６内で無線サービスを提供してもよい。例示的動作環境１００では、UE  １１０は小セル１０８内にある位置に存在し、その位置は重畳されたマクロセル１０６内でもある。
【００１４】
さまざまな実施形態において、UE  １１０は、3GPPリリース12（Rel-12）のような一組の無線通信仕様に従ってMeNB  １０２および／またはSeNB  １０４と無線で通信しうる。いくつかの実施形態では、前記一組の無線通信仕様に基づいて、UE  １１０は、デュアル接続動作モードにはいる機能をもって構成されてもよい。該モードによれば、UE  １１０はMeNB  １０２およびSeNB  １０４両方への同時並行したデータ接続を提供される。さまざまな実施形態におけるデュアル接続動作の間、UE  １１０は、第一の無線通信周波数を利用する第一のデータ接続を介してMeNB  １０２へのデータ接続を提供されてもよく、並行して、第二の無線通信周波数を利用する第二のデータ接続を介してSeNB  １０４へのデータ接続を提供されてもよい。
【００１５】
いくつかの実施形態では、前記一組の無線通信仕様は、UE  １１０が、MeNB  １０２およびSeNB  １０４の両方に当てはまる単一の電波資源制御（RRC）状態を所有することを規定してもよい。さまざまな実施形態において、たとえば、UE  １１０はMeNB  １０２およびSeNB  １０４両方に関してRRC_Connected〔RRC接続された〕状態にあるまたはMeNB  １０２およびSeNB  １０４両方に関してRRC_Idle〔RRCアイドル〕状態にあるのいずれかであることが許容されてもよいが、一方に関してRRC_Connected状態にあるが他方に関してはRRC_Idle状態にあることは許容されない。いくつかの実施形態では、前記一組の無線通信仕様によれば、MeNB  １０２は、UE  １１０のRRC状態の管理に関連してUE  １１０にRRCメッセージを通信することを受け持ってもよい。さまざまな実施形態において、前記一組の無線通信仕様はSeNB  １０４の一部でのRRCメッセージの伝送をサポートしなくてもよい。
【００１６】
さまざまな実施形態において、前記一組の無線通信仕様によれば、UE  １１０は、マクロセル１０６の制御チャネルおよび小セル１０８の制御チャネルをモニタリングすることに関連して、相異なるそれぞれのDRX状態およびDRXパラメータの異なるそれぞれの集合を認識し、観察する機能をもって構成されてもよい。UE  １１０におけるDRXに関連する電力節約を最大にするため、UE  １１０についてのマクロセルDRXパラメータをUE  １１０についての小セルDRXパラメータと揃えることが望ましいことがありうる。より具体的には、UE  １１０がマクロセル１０６に関するDRXスリープ状態にある期間とUE  １１０が小セル１０８に関するDRXスリープ状態にある期間との間のより大きな度合いの重なりを達成するために、これらのパラメータを揃えることが望ましいことがありうる。
【００１７】
これらのDRXパラメータを整列させることに関連した一つの課題は、MeNB  １０２およびSeNB  １０４についてのシステム・タイミングが必ずしも同期しないことがあり、よってそれらのシステム・フレーム番号（SFN:  System  Frame  Number）が一致しないことがあるということでありうる。UE  １１０がマクロセルDRXパラメータおよび小セルDRXパラメータを適用するタイミングはそれぞれのマクロセルおよび小セルSFNに依存しうる。よって、たとえマクロセルDRXパラメータおよび小セルDRXパラメータが同一であったとしても、UE  １１０のマクロセルおよび小セルDRX状態は、タイミング差のためにうまく揃わないことがある。マクロセルおよび小セルのDRXパラメータを揃えることに関連したもう一つの課題は、MeNB  １０２およびSeNB  １０４がUE  １１０についてのDRXパラメータに関する情報を交換しうる情報交換機構がないことでありうる。たとえば、通常システムにおいては、MeNB  １０２およびSeNB  １０４はUE  １１０についての小セルDRXパラメータに関する情報を交換するすべをもたないことがある。
【００１８】
本稿には、デュアル接続アーキテクチャのためのDRX整列技法が開示される。いくつかのそのような技法によれば、MeNB  １０２およびSeNB  １０４は、UE  １１０についてのDRXパラメータに関する情報を交換するためにX2インターフェース接続１０３を通じて通信してもよい。さまざまな実施形態において、UE  １１０の小セルRRC構成設定を記述する情報を搬送する小セルRRC情報要素（IE）が定義される。いくつかの実施形態では、MeNB  １０２とSeNB  １０４の間で小セルRRC  IEが交換されることを可能にする小セルRRC  X2メッセージが定義される。さまざまな実施形態において、小セルRRC  IEは、UE  １１０についての小セルDRX構成設定を記述する情報を含む、新たに定義された小セルDRX構成設定IEを含んでいてもよい。いくつかの実施形態では、小セルDRX構成設定IEは、小セルDRXオフセット値を含んでいてもよい。さまざまな実施形態において、小セルDRXオフセット値は、マクロセル・タイミングと小セル・タイミングの間の差を補償するよう選択されてもよい。いくつかの実施形態では、MCGにおいてSeNB  １０４にUE  １１０がDRXモードにはいることを通知するために、MeNB  １０２がDRXコマンドMAC  CEをSeNB  １０４に転送することを可能にするよう新たなX2メッセージが定義されてもよい。
【００１９】
図２は、さまざまな実施形態においてデュアル接続アーキテクチャのためのDRX整列技法が実装されうる動作環境２００の例を示している。図２は、そのような技法の適用との関連でいくつかの実施形態において交換されうるさまざまなメッセージが描かれている。図２に描かれるどの特定のメッセージもすべての実施形態において必ず利用されるのではないことがあり、さまざまな実施形態において、開示されるDRX整列技法の実装は図２に描かれない一つまたは複数のメッセージの交換に関わってもよいことを理解しておくものとする。さらに、図２に描かれるメッセージはすべてMeNB  １０２、SeNB  １０４およびUE  １１０の間で交換されているが、いくつかの実施形態では、DRX整列をサポートする通信において一つまたは複数の他の装置が参加してもよいことを理解しておくものとする。実施形態はこのコンテキストにおいて限定されない。
【００２０】
動作環境２００では、UE  １１０についてのマクロセルDRXパラメータをUE  １１０についての小セルDRXパラメータと揃えるために、MeNB  １０２およびSeNB  １０４は、図１のX2インターフェース接続１０３のようなX2インターフェース接続を通じて一つまたは複数のメッセージを交換してもよい。さまざまな実施形態において、MeNB  １０２およびSeNB  １０４は、UE  １１０についてのマクロセルおよび小セルDRXパラメータを完全に揃えるために、互いと協調してもよい。いくつかのそのような実施形態では、MeNB  １０２およびSeNB  １０４は、マクロセルと小セルの間のタイミング・オフセットを判別し、そのタイミング・オフセットをUE  １１０に報告するために互いと協調してもよい。その際、UE  １１０は、マクロセルおよび小セルの両方にDRX構成設定パラメータの同じ集合を適用でき、マクロセルおよび小セルの制御チャネルのモニタリングへのDRX構成設定パラメータのそれぞれの適用に関連して、前記タイミング・オフセットについて補償しうる。さまざまな他の実施形態において、MeNB  １０２およびSeNB  １０４は、UE  １１０についてのマクロセルおよび小セルDRXパラメータを部分的に揃えるために、互いと協調してもよい。たとえば、いくつかの実施形態では、マクロセルおよび小セルの長いDRXサイクルおよび「オン」継続時間を揃えるために、MeNB  １０２およびSeNB  １０４が協調してもよい。さまざまなそのような実施形態において、MeNB  １０２およびSeNB  １０４は、マクロセルと小セルの間のタイミング・オフセットを判別するために互いと協調してもよく、次いで、それぞれの別個のDRXパラメータの集合を選択する際にこのオフセットを考慮に入れてもよい。実施形態はこのコンテキストにおいて限定されない。
【００２１】
いくつかの実施形態では、SeNB  １０４はMeNB  １０２にX2タイミング情報メッセージ２１２を送ってもよい。さまざまな実施形態において、X2タイミング情報メッセージ２１２は、任意の所与のセルに関するタイミング情報をそのセルのサービスするeNBから別のセルのサービスするeNBへX2インターフェース接続を介して伝達するために使うために定義された型のメッセージを含んでいてもよい。いくつかの実施形態では、X2タイミング情報メッセージ２１２は、小セル・タイミング情報２１４を含んでいてもよい。小セル・タイミング情報２１４は一般に、SeNB  １０４によってサービスされる小セルのタイミングを記述する情報を含んでいてもよい。さまざまな実施形態において、小セル・タイミング情報２１４は小セルについてのシステム・フレーム番号（SFN）および該小セルSFNが決定された絶対時刻を示す時刻値を同定してもよい。いくつかの実施形態では、小セル・タイミング情報２１４は、サブフレーム番号をも同定してもよく、前記時刻値はより具体的には、小セルSFNおよびサブフレーム番号が決定された絶対時刻を示してもよい。さまざまな他の実施形態では、SeNB  １０４は、前記時刻値を、小セルSFNが始まった絶対時刻として決定するよう構成されていてもよく、サブフレーム数は含まれなくてもよい。実施形態はこのコンテキストにおいて限定されない。
【００２２】
いくつかの実施形態では、MeNB  １０２は、X2タイミング情報メッセージ２１６をSeNB  １０４に送ってもよい。さまざまな実施形態において、X2タイミング情報メッセージ２１６は、X2タイミング情報メッセージ２１２と同じ型のメッセージを含んでいてもよく、マクロセル・タイミング情報２１８を含んでいてもよい。マクロセル・タイミング情報２１８は一般に、MeNB  １０２によってサービスされるマクロセルのタイミングを記述する情報を含んでいてもよい。いくつかの実施形態において、マクロセル・タイミング情報２１８はマクロセルについてのSFNおよび該SFNに対応する絶対時刻を含んでいてもよい。さまざまな実施形態において、マクロセル・タイミング情報２１８は、サブフレーム数をも同定してもよく、前記時刻値はより具体的には、マクロセルSFNおよびサブフレーム数が決定された絶対時刻を示してもよい。いくつかの他の実施形態では、MeNB  １０２は、前記時刻値を、マクロセルSFNが始まった絶対時刻として決定するよう構成されていてもよく、サブフレーム数は含まれなくてもよい。実施形態はこのコンテキストにおいて限定されない。
【００２３】
さまざまな実施形態において、SeNB  １０４は、マクロセル・タイミング情報２１８に基づいてセル間タイミング・オフセットを決定するよう動作してもよい。いくつかの実施形態では、セル間タイミング・オフセットは一般に、MeNB  １０２によってサービスされるマクロセル内のタイミングとSeNB  １０４によってサービスされる小セル内のタイミングの間のタイミング差を示してもよい。さまざまな実施形態において、セル間タイミング・オフセットは、それぞれのタイミングが互いからオフセットされているフレーム数を含んでいてもよい。いくつかの実施形態では、SeNB  １０４は、サブフレーム・レベルの粒度でセル間タイミング・オフセットを決定して、それぞれのタイミングがオフセットされているフレームおよびサブフレームの数を示すようにするよう動作してもよい。さまざまな実施形態において、SeNB  １０４は、一つまたは複数のOFDMシンボルの粒度のような、より小さなレベルの粒度においてセル間タイミング・オフセットを決定するよう動作してもよい。
【００２４】
いくつかの実施形態において、MeNB  １０２は、X2  RRC構成設定情報メッセージ２２０をSeNB  １０４に送ってもよい。さまざまな実施形態において、X2  RRC構成設定情報メッセージ２２０は、デュアル接続されたUEの一つのサービスするセルについてのRRC構成設定情報を、そのセルのeNBから該デュアル接続されたUEの別のサービスするセルのeNBに、X2インターフェース接続を介して伝達するために使うために定義された型のメッセージを含んでいてもよい。いくつかの実施形態では、MeNB  １０２は、マクロセルDRX構成設定情報２２２をSeNB  １０４に送るためにX2  RRC構成設定情報メッセージ２２０を使ってもよい。さまざまな実施形態において、マクロセルDRX構成設定情報２２２は、MeNB  １０２がUE  １１０のために選択したマクロセルDRXパラメータの集合を同定してもよい。いくつかの実施形態では、X2  RRC構成設定情報メッセージ２２０は、eNBの間でDRX構成設定情報を伝達する目的だけのために定義されたX2メッセージであってもよい。さまざまな他の実施形態において、マクロセルDRX構成設定情報２２２はより一般的な目的のために定義されたX2メッセージであってもよい。たとえば、いくつかの実施形態では、マクロセルDRX構成設定情報２２２に加えて、X2  RRC構成設定情報メッセージ２２０は、そのマクロセルについての非DRX関係のRRC構成設定情報を含んでいてもよい。実施形態はこのコンテキストにおいて限定されない。
【００２５】
さまざまな実施形態において、SeNB  １０４は、UE  １１０についての小セルDRXパラメータの集合を選択するよう動作してもよい。いくつかの実施形態では、SeNB  １０４は、UE  １１０についての小セルDRXパラメータを、マクロセル・タイミング情報２１８およびマクロセルDRX構成設定情報２２２に基づいて選択するよう動作してもよい。さまざまな実施形態において、SeNB  １０４は、マクロセル・タイミング情報２１８に基づいてセル間タイミング・オフセットを決定し、マクロセルDRX構成設定情報２２２に基づいてUE  １１０についてのマクロセルDRXパラメータの集合を同定し、UE  １１０についてのマクロセルDRXパラメータおよびセル間タイミング・オフセットに基づいてUE  １１０についての小セルDRXパラメータの集合を選択するよう動作してもよい。さまざまな実施形態において、SeNB  １０４は、追加的または代替的に、小セルDRXパラメータの一つまたは複数について、小セルにおけるDRX「オン」継続時間をマクロセルにおけるDRX「オン」継続時間と揃えるそれぞれの値を選択するよう動作してもよい。
【００２６】
いくつかの実施形態では、MeNB  １０２は、それがサービスするマクロセルおよびSeNBがサービスする小セルの両方に関して、UE  １１０のRRC構成設定を受け持ってもよい。さまざまな実施形態において、MeNB  １０２はこのように、SeNB  １０４によって選択された小セルDRXパラメータの集合をもってUE  １１０を構成設定することを受け持ってもよい。したがって、いくつかの実施形態では、SeNB  １０４は、UE  １１０のために選択した小セルDRXパラメータの集合についてMeNB  １０２に通知するために、X2  RRC構成設定情報メッセージ２２４を送るよう動作してもよい。さまざまな実施形態において、SeNB  １０４は、小セルDRX構成設定情報２２６をMeNB  １０２に送るためにX2  RRC構成設定情報メッセージ２２４を使ってもよい。いくつかの実施形態では、小セルDRX構成設定情報２２６が、UE  １１０のためにSeNB  １０４が選択した小セルDRXパラメータの集合を指定してもよい。さまざまな実施形態において、小セルDRX構成設定情報２２６に基づいて、MeNB  １０２は、UE  １１０のための小セルDRXパラメータの集合を同定するよう動作してもよい。いくつかの実施形態では、X2  RRC構成設定情報メッセージ２２４の型、フォーマット、使用条件および／または定義された目的は、X2  RRC構成設定情報メッセージ２２０と同じ――または類似――であってもよい。しかしながら、さまざまな他の実施形態では、両メッセージは一つまたは複数のそのような点において異なっていてもよいことは理解しておくものとする。実施形態はこのコンテキストにおいて限定されない。
【００２７】
いくつかの実施形態では、MeNB  １０２は、UE  １１０をさまざまなRRCパラメータをもって構成設定するために、UE  １１０にRRC構成設定情報メッセージ２２８を送るよう動作してもよい。さまざまな実施形態において、MeNB  １０２は、自らがUE  １１０のために選択したマクロセルDRXパラメータの集合およびSeNB  １０４がUE  １１０のために選択した小セルDRXパラメータの集合をもってUE  １１０を構成設定するためにRRC構成設定情報メッセージ２２８を使ってもよい。いくつかの実施形態では、RRC構成設定情報メッセージ２２８はマクロセルRRC構成設定IE  ２３０を含んでいてもよい。さまざまな実施形態において、マクロセルRRC構成設定IE  ２３０は、デュアル接続されたUEのためのマクロセルRRCパラメータを構成設定するために使うために指定されたIEを有していてもよい。いくつかの実施形態では、マクロセルRRC構成設定IE  ２３０はRadioResourceConfigDedicated〔電波資源構成設定専用〕IEを含んでいてもよい。さまざまな実施形態において、マクロセルRRC構成設定IE  ２３０は、マクロセルDRX構成設定IE  ２３２を含んでいてもよい。いくつかの実施形態では、マクロセルDRX構成設定IE  ２３２は、デュアル接続されたUEのための一つまたは複数のマクロセルDRXパラメータを構成設定するために使うために指定されたIEを有していてもよい。さまざまな実施形態において、マクロセルDRX構成設定IE  ２３２は、DRX-Config  IEを含んでいてもよい。いくつかの実施形態では、マクロセルDRX構成設定IE  ２３２は、MeNB  １０２がUE  １１０のために選択したマクロセルDRXパラメータの集合を含んでいてもよい。
【００２８】
さまざまな実施形態において、RRC構成設定情報メッセージ２２８は、小セルRRC構成設定IE  ２３４を含んでいてもよい。いくつかの実施形態では、小セルRRC構成設定IE  ２３４は、マクロセルRRC構成設定IE  ２３０とは別個の、デュアル接続されたUEのための一つまたは複数の小セルRRCパラメータを構成設定するために使うために定義されているIEを有していてもよい。さまざまな実施形態において、たとえば、小セルRRC構成設定IE  ２３４は、新たに定義されたRadioResourceConfigDedicatedSmallCell〔電波資源構成設定専用小セル〕IEを含んでいてもよい。いくつかの実施形態では、小セルRRC構成設定IE  ２３４は小セルDRX構成設定IE  ２３６を含んでいてもよい。さまざまな実施形態において、小セルDRX構成設定IE  ２３６は、デュアル接続されたUEのための一つまたは複数の小セルDRXパラメータを構成設定するために使うために定義されたIEを有していてもよい。いくつかの実施形態では、小セルDRX構成設定IE  ２３６は、新たに定義されたDRX-Config-SmallCell  IEを含んでいてもよい。さまざまな実施形態において、小セルDRX構成設定IE  ２３６は、SeNB  １０４がUE  １１０のために選択した小セルDRXパラメータの集合を含んでいてもよい。小セルRRC構成設定IE  ２３４および小セルDRX構成設定IE  ２３６に関し、上述した名称「RadioResourceConfigDedicatedSmallCell」および「DRX-Config-SmallCell」は単に例であり、実施形態はこれらの例の名称に限定されないことを注意しておく価値がある。
【００２９】
いくつかの実施形態では、小セルDRX構成設定IE  ２３６は、一つまたは複数のセル間調整されたDRXパラメータ２３８を含んでいてもよい。DRXパラメータに関して、用語「セル間調整された（inter-cell-coordinated）」は本稿では、少なくとも部分的には、デュアル接続されたUEの二つのサービスするセルのそれぞれのサービスするeNBの間の協調を介して決定されたセル間タイミング・オフセットに基づいて選択されたDRXパラメータを表わす。たとえば、SeNB  １０４がMeNB  １０２との協調を介して決定されたセル間タイミング・オフセットに基づいてUE  １１０のために小セルDRXパラメータの集合を選択する実施形態では、それらの選択された小セルDRXパラメータがセル間調整されたDRXパラメータ２３８をなす。実施形態はこの例に限定されない。
【００３０】
さまざまな実施形態において、UE  １１０は、RRC構成設定情報メッセージ２２８を受領し、一つまたは複数のセル間調整されたDRXパラメータ２３８に基づいて小セルDRXサイクルについての開始時刻を決定するよう動作してもよい。いくつかの実施形態では、UE  １１０は、次いで、決定された時刻に小セルDRXサイクルを開始するよう動作してもよい。さまざまな実施形態において、上記で論じたように、セル間調整されたDRXパラメータ２３８は、UE  １１０の小セルDRX動作を制御するための小セルDRXパラメータの集合を含んでいてもよい。いくつかの実施形態では、小セルDRXパラメータの集合は、UE  １１０のサービスする小セルの長いDRXサイクルを、UE  １１０のサービスするマクロセルの長いDRXサイクルと揃えるよう選択された一つまたは複数のパラメータを有していてもよい。さまざまな実施形態において、小セルDRXパラメータの集合は追加的または代替的に、UE  １１０のサービスする小セルのDRX「オン」継続時間をUE  １１０のサービスするマクロセルのDRX「オン」継続時間と揃えるよう選択された一つまたは複数のパラメータを有していてもよい。実施形態はこれらの例に限定されない。
【００３１】
いくつかの実施形態では、MeNB  １０２はUE  １１０のためのマクロセルDRXパラメータの集合を、小セル・タイミング情報２１４および小セルDRX構成設定情報２２６に基づいて選択するよう動作してもよいことを注意しておく価値がある。さまざまな実施形態において、SeNB  １０４はUE  １１０のための小セルDRXパラメータの集合を自律的に選択するよう動作してもよく、X2  RRC構成設定情報メッセージ２２４における小セルDRX構成設定情報２２６を介して、選択された小セルDRXパラメータをMeNB  １０２に通信してもよい。いくつかの実施形態では、MeNB  １０２は、小セル・タイミング情報２１４に基づいてセル間タイミング・オフセットを決定し、小セルDRX構成設定情報２２６に基づいてUE  １１０のための小セルDRXパラメータの集合を同定し、UE  １１０のための小セルDRXパラメータおよびセル間タイミング・オフセットに基づいてUE  １１０のためのマクロセルDRXパラメータの集合を選択するよう動作してもよい。さまざまな実施形態において、MeNB  １０２は、次いで、マクロセルDRXパラメータの選択された集合をもってUE  １１０を構成設定するために、RRC構成設定情報メッセージ２２８内のマクロセルDRX構成設定IE  ２３２を使うよう動作してもよい。そのような実施形態では、マクロセルDRX構成設定IE  ２３２におけるマクロセルDRXパラメータの選択された集合がセル間調整されたDRXパラメータ２３８の集合をなす。実施形態はこのコンテキストにおいて限定されない。
【００３２】
いくつかの実施形態では、MeNB  １０２は、マクロセルおよび小セルの両方に適用されるDRXパラメータの集合をもってUE  １１０を構成設定するよう動作してもよい。さまざまな実施形態において、MeNB  １０２は、マクロセルと小セルの間のセル間タイミング・オフセットを補償することにおいて使うための小セルDRXオフセット値をUE  １１０に提供するよう動作してもよい。いくつかの実施形態では、MeNB  １０２は、SeNB  １０４から受領される小セル・タイミング情報２１４に基づいて小セルDRXオフセット値を決定するよう動作してもよい。さまざまな実施形態において、MeNB  １０２は、DRXパラメータの集合をもってUE  １１０を構成設定するようUE  １１０にRRC構成設定情報メッセージ２２８を送ってもよい。いくつかの実施形態では、MeNB  １０２は、RRC構成設定情報メッセージ２２８において、小セルDRXオフセット値を含めてもよい。さまざまな実施形態において、RRC構成設定情報メッセージ２２８は、小セルDRXオフセット値を含む新たに定義されたフィールドを有していてもよい。たとえば、いくつかの実施形態では、RRC構成設定情報メッセージ２２８は、小セルDRXオフセット値を含む新たに定義されたDRXOffsetForSmallCell〔小セルについてのDRXオフセット〕を含んでいてもよい。さまざまな実施形態において、小セルDRXオフセット値は、小セルDRX構成設定IE  ２３６におけるあるフィールド内に含まれていてもよい。いくつかの実施形態では、小セルDRXオフセット値は、小セルDRX構成設定IE  ２３６内に含まれる唯一のパラメータであってもよい。さまざまな他の実施形態において、小セルDRX構成設定IE  ２３６は、一つまたは複数の他の小セルDRXパラメータを含んでいてもよい。実施形態はこのコンテキストにおいて限定されない。
【００３３】
いくつかの実施形態では、MeNB  １０２は、DRXコマンド媒体アクセス制御（MAC:  media  access  control）制御要素（CE:  control  element）をUE  １１０に送ることによって、DRXモードにはいるようUE  １１０に命令することができてもよい。さまざまな実施形態において、UE  １１０は、MeNB  １０２からDRXコマンドMAC  CEを受領したのち、DRX「オン」継続時間を揃えるために、小セルDRXオフセット値を参照するよう構成されていてもよい。いくつかの実施形態では、MeNB  １０２は、UE  １１０がマクロセルに関してDRXモードにはいることをSeNB  １０４に通知する必要があることがある。さまざまな実施形態において、MeNB  １０２は、UE  １１０がマクロセルに関してDRXモードにはいることをSeNB  １０４に通知するために、X2  MAC  CEメッセージ２３９を送るよう動作してもよい。いくつかの実施形態では、X2  MAC  CEメッセージ２３９は、X2インターフェース接続を介して、マクロセルeNBから、デュアル接続されたUEのDRXパラメータを揃えるために該マクロセルeNBが協調した小セルeNBに、DRXコマンドMAC  CEを伝達するための新たに定義されたX2メッセージを含んでいてもよい。さまざまな実施形態において、MeNB  １０２は、UE  １１０に送られたDRXコマンドMAC  CE  ２４０を含むSeNB  １０４へのX2  MAC  CEメッセージ２３９を送るよう動作してもよい。いくつかの実施形態では、DRXコマンドMAC  CE  ２４０をSeNB  １０４に転送するためにX2  MAC  CEメッセージ２３９を使うことによって、MeNB  １０２は、UE  １１０がマクロセルに関してDRXモードにはいることをSeNB  １０４に通知しうる。実施形態はこのコンテキストにおいて限定されない。
【００３４】
上記の実施形態についての動作は、以下の図面および付随する例を参照してさらに記述される。図面のいくつかは論理フローを含むことがある。本願で提示されるそのような図面は特定の論理フローを含むことがあるが、該論理フローは、本稿に記載される一般的な機能がいかにして実装できるかの例を与えるだけであることは理解されることができる。さらに、特に断わりのない限り、与えられる論理フローは必ずしも提示される順序で実行される必要はない。さらに、与えられる論理フローは、ハードウェア要素、プロセッサによって実行されるソフトウェア要素またはそれらの任意の組み合わせによって実装されうる。
【００３５】
図３は、さまざまな実施形態においてUE  １１０によって実行されうる動作を表わしうる、論理フロー３００のある実施形態を示している。論理フロー３００において示されるように、一つまたは複数のセル間調整されたDRXパラメータを含む小セルDRX構成設定IEを含む小セルRRC構成設定IEを有するRRC構成設定情報メッセージが、３０２において受領されてもよい。たとえば、UE  １１０は、RRC構成設定情報メッセージ２２８をMeNB  １０２から受領するよう動作してもよく、RRC構成設定情報メッセージ２２８が、一つまたは複数のセル間調整されたDRXパラメータ２３８を含む小セルDRX構成設定IE  ２３６を含む小セルRRC構成設定IE  ２３４を有していてもよい。３０４では、小セルDRXサイクルについての開始時刻が、前記一つまたは複数のセル間調整されたDRXパラメータの少なくとも一つに基づいて決定されてもよい。たとえば、UE  １１０は、RRC構成設定情報メッセージ２２８に含まれる一つまたは複数のセル間調整されたDRXパラメータ２３８の少なくとも一つに基づいて、小セルDRXサイクルについての開始時刻を決定するよう動作してもよい。３０６では、決定された開始時刻において小セルDRXサイクルが開始されてもよい。たとえば、UE  １１０は、RRC構成設定情報メッセージ２２８に含まれる一つまたは複数のセル間調整されたDRXパラメータ２３８の少なくとも一つに基づいて決定された開始時刻において、小セルDRXサイクルを開始するよう動作してもよい。実施形態はこれらの例に限定されない。
【００３６】
図４は、さまざまな実施形態においてMeNB  １０２によって実行されうる動作を表わしうる、論理フロー４００のある実施形態を示している。図４に示されるように、４０２において、デュアル接続されたUEについて、マクロセルDRXパラメータの集合が選択されてもよい。たとえば、MeNB  １０２がUE  １１０についてマクロセルDRXパラメータの集合を選択するよう動作してもよい。４０４では、小セル・タイミング情報を含むX2インターフェース・メッセージが受領されてもよい。たとえば、MeNB  １０２は、小セル・タイミング情報２１４を含むX2タイミング情報メッセージ２１２をするよう動作してもよい。４０６では、小セル・タイミング情報に基づいて、小セルDRXオフセット値が決定されてもよい。たとえば、MeNB  １０２は、X2タイミング情報メッセージ２１２において受領された小セル・タイミング情報２１４に基づいて小セルDRXオフセット値を決定するよう動作してもよい。４０８では、マクロセルDRXパラメータの集合および小セルDRXオフセット値を含むRRC構成設定メッセージが送られてもよい。たとえば、MeNB  １０２は、選択されたマクロセルDRXパラメータを含むマクロセルDRX構成設定IE  ２３２を有し、かつ小セルDRXオフセット値を含む小セルDRX構成設定IE  ２３６を有するRRC構成設定情報メッセージ２２８を送るよう動作してもよい。実施形態はこれらの例に限定されない。
【００３７】
図５は、さまざまな実施形態においてSeNB  １０４によって実行されうる動作を表わしうる、論理フロー５００のある実施形態を示している。図５に示されるように、５０２において、X2インターフェース接続を通じて、マクロセル・タイミング情報を含むX2タイミング情報メッセージが受領されてもよい。たとえば、SeNB  １０４は、X2インターフェース接続を通じて、マクロセル・タイミング情報２１８を含むX2タイミング情報メッセージ２１６をするよう動作してもよい。５０４では、マクロセル・タイミング情報に基づいて、小セルDRXパラメータの集合が選択されてもよい。たとえば、SeNB  １０４は、X2タイミング情報メッセージ２１６において受領されたマクロセル・タイミング情報２１８に基づいて小セルDRXパラメータの集合を選択するよう動作してもよい。５０６では、小セルDRXパラメータの選択された集合を報告するために、X2インターフェース接続を通じてX2  RRC構成設定情報メッセージが送られてもよい。たとえば、SeNB  １０４は、X2タイミング情報メッセージ２１６において受領されたマクロセル・タイミング情報２１８に基づいて選択した小セルDRXパラメータを報告するためにX2インターフェース接続を通じてX2  RRC構成設定情報メッセージ２２４を送るよう動作してもよい。実施形態はこれらの例に限定されない。
【００３８】
図６のＡは、記憶媒体６００のある実施形態を示している。記憶媒体６００は、光学式、磁気式または半導体記憶媒体などの、任意の非一時的なコンピュータ可読記憶媒体または機械可読記憶媒体を含んでいてもよい。さまざまな実施形態において、記憶媒体６００は製造物を有していてもよい。いくつかの実施形態では、記憶媒体６００は、図３の論理フロー３００を実装するためのコンピュータ実行可能命令のようなコンピュータ実行可能命令を記憶していてもよい。コンピュータ可読記憶媒体または機械可読記憶媒体の例は、揮発性メモリまたは不揮発性メモリ、リムーバブルまたは非リムーバブル・メモリ、消去可能または消去可能でないメモリ、書き込み可能または書き換え可能メモリなどを含む、電子データを記憶できる任意の有体の媒体を含みうる。コンピュータ実行可能命令の例は、ソースコード、コンパイルされるコード、インタープリットされるコード、実行可能なコード、静的なコード、動的なコード、オブジェクト指向コード、ビジュアル・コードなどといった、任意の好適な型のコードを含んでいてもよい。実施形態はこのコンテキストにおいて限定されない。
【００３９】
図６のＢは、記憶媒体６５０のある実施形態を示している。記憶媒体６５０は、光学式、磁気式または半導体記憶媒体などの、任意の非一時的なコンピュータ可読記憶媒体または機械可読記憶媒体を含んでいてもよい。さまざまな実施形態において、記憶媒体６５０は製造物を有していてもよい。いくつかの実施形態では、記憶媒体６５０は、図４の論理フロー４００および図５の論理フロー５００の一方または両方を実装するためのコンピュータ実行可能命令のようなコンピュータ実行可能命令を記憶していてもよい。コンピュータ可読／機械可読記憶媒体およびコンピュータ実行可能命令の例は、限定するものではないが、図６のＡの記憶媒体６００を参照して先述したそれぞれの例の任意のものを含んでいてもよい。
【００４０】
図７は、MeNB  １０２、SeNB  １０４、UE  １１０、論理フロー３００、論理フロー４００、論理フロー５００、記憶媒体６００および記憶媒体６５０の一つまたは複数を実装しうる通信装置７００のある実施形態を示している。さまざまな実施形態において、装置７００は論理回路７２８を有していてもよい。論理回路７２８は、たとえばMeNB  １０２、SeNB  １０４、UE  １１０、論理フロー３００、論理フロー４００および論理フロー５００の一つまたは複数について記述された動作を実行するための物理的な回路を含んでいてもよい。図７に示されるように、装置７００は、電波インターフェース７１０、ベースバンド回路７２０およびコンピューティング・プラットフォーム７３０を含んでいてもよい。ただし、実施形態はこの構成に限定されない。
【００４１】
装置７００は、MeNB  １０２、SeNB  １０４、UE  １１０、論理フロー３００、論理フロー４００、論理フロー５００、記憶媒体６００、記憶媒体６５０および論理回路７２８の一つまたは複数についての構造および／または動作の一部または全部を、単一のコンピューティング・エンティティにおいて、たとえば完全に単一の装置内で、実装してもよい。あるいはまた、装置７００は、MeNB  １０２、SeNB  １０４、UE  １１０、論理フロー３００、論理フロー４００、論理フロー５００、記憶媒体６００、記憶媒体６５０および論理回路７２８の一つまたは複数についての構造および／または動作の諸部分を、クライアント‐サーバー・アーキテクチャ、三層（3-tier）アーキテクチャ、N層（N-tier）アーキテクチャ、密に結合された（tightly-coupled）またはクラスタリングされたアーキテクチャ、ピアツーピア・アーキテクチャ、マスター‐スレーブ・アーキテクチャ、共有データベース・アーキテクチャおよび他の型の分散式システムといった、分散式システム・アーキテクチャを使って複数のコンピューティング・エンティティを横断して分散させてもよい。実施形態はこのコンテキストにおいて限定されない。
【００４２】
ある実施形態では、電波インターフェース７１０は、単一搬送波または複数搬送波の変調信号（たとえば、相補的符号変調（CCK:  complementary  code  keying）、直交周波数分割多重（OFDM）および／または単一搬送波周波数分割多重アクセス（SC-FDMA）のシンボルを含む）を送信および／または受信するよう適応されたコンポーネントまたはコンポーネントの組み合わせを含んでいてもよい。ただし、実施形態はいかなる特定の空中（over-the-air）インターフェースまたは変調方式に限定されるものでもない。電波インターフェース７１０はたとえば、受信器７１２、周波数合成器７１４および／または送信器７１６を含んでいてもよい。電波インターフェース７１０は、バイアス・コントロール、水晶発振器および／または一つまたは複数のアンテナ７１８−ｆを含んでいてもよい。別の実施形態では、電波インターフェース７１０は、所望に応じて、外部の電圧制御発振器（VCO）、表面弾性波フィルタ、中間周波数（IF）フィルタおよび／またはRFフィルタを使ってもよい。潜在的なRFインターフェース設計の多様性のため、その広範な記述は割愛する。
【００４３】
ベースバンド回路７２０は電波インターフェース７１０を用いて、信号を処理、受信および／または送信するために通信してもよく、たとえば、受信された信号を下方変換するためのアナログ‐デジタル・コンバーター７２２、送信のために信号を上方変換するためのデジタル‐アナログ・コンバータ７２４を含んでいてもよい。さらに、ベースバンド回路７２０は、それぞれの受信／送信信号のPHYリンク層処理のための物理層（PHY）処理回路７２６を含んでいてもよい。ベースバンド回路７２０はたとえば、MAC／データリンク層処理のための媒体アクセス制御（MAC）処理回路７２７を含んでいてもよい。ベースバンド回路７２０は、一つまたは複数のインターフェース７３４を介してMAC処理回路７２７および／またはコンピューティング／プラットフォーム７３０と通信するためのメモリ・コントローラ７３２を含んでいてもよい。
【００４４】
いくつかの実施形態では、PHY処理回路７２６は、通信フレームを構築および／または分解するよう、フレーム構築および／または検出モジュールを、バッファ・メモリのような追加的回路と組み合わせて含んでいてもよい。代替的または追加的に、MAC処理回路７２７は、これらの機能のあるもののための処理を共有したり、あるいはこれらのプロセスをPHY処理回路７２６とは独立に実行したりしてもよい。いくつかの実施形態では、MACおよびPHY処理は単一の回路に統合されてもよい。
【００４５】
コンピューティング・プラットフォーム７３０は、装置７００のためのコンピューティング機能を提供してもよい。図のように、コンピューティング・プラットフォーム７３０は、処理コンポーネント７４０を含んでいてもよい。ベースバンド回路７２０に加えてまたはその代わりに、装置７００は、MeNB  １０２、SeNB  １０４、UE  １１０、論理フロー３００、論理フロー４００、論理フロー５００、記憶媒体６００、記憶媒体６５０および論理回路７２８の一つまたは複数についての処理動作または論理を処理コンポーネント７４０を使って実行してもよい。処理コンポーネント７４０（および／またはPHY  ７２６および／またはMAC  ７２７）は、さまざまなハードウェア要素、ソフトウェア要素またはそれらの組み合わせを含んでいてもよい。ハードウェア要素の例は、装置、論理デバイス、コンポーネント、プロセッサ、マイクロプロセッサ、回路、プロセッサ回路、回路素子（たとえばトランジスタ、抵抗器、キャパシタ、インダクタなど）、集積回路、特定用途向け集積回路（ASIC）、プログラム可能な論理デバイス（PLD）、デジタル信号プロセッサ（DSP）、フィールド・プログラマブル・ゲート・アレイ（FPGA）、メモリ・ユニット、論理ゲート、レジスタ、半導体デバイス、チップ、マイクロチップ、チップセットなどを含みうる。ソフトウェア要素の例は、ソフトウェア・コンポーネント、プログラム、アプリケーション、コンピュータ・プログラム、アプリケーション・プログラム、システム・プログラム、ソフトウェア開発プログラム、マシン・プログラム、オペレーティング・システム・ソフトウェア、ミドルウェア、ファームウェア、ソフトウェア・モジュール、ルーチン、サブルーチン、関数、メソッド、プロシージャ、ソフトウェア・インターフェース、アプリケーション・プログラム・インターフェース（API）、命令セット、コンピューティング・コード、コンピュータ・コード、コード・セグメント、コンピュータ・コード・セグメント、語、値、シンボルまたはそれらの任意の組み合わせを含みうる。実施形態がハードウェア要素および／またはソフトウェア要素を使って実装されるかどうかを決定することは、所与の実装のために所望される、所望の計算速度、電力レベル、熱耐性、処理サイクル予算、入力データ・レート、出力データ・レート、メモリ資源、データ・バス速度および他の設計もしくは性能制約条件のようないくつもの要因によって変わりうる。
【００４６】
コンピューティング・プラットフォーム７３０は、他のプラットフォーム・コンポーネント７５０をさらに含んでいてもよい。他のプラットフォーム・コンポーネント７５０は、一つまたは複数のプロセッサ、マルチコア・プロセッサ、コプロセッサ、メモリ・ユニット、チップセット、コントローラ、周辺機器、インターフェース、発振器、タイミング装置、ビデオ・カード、オーディオ・カード、マルチメディア入出力（I/O）コンポーネント（たとえばデジタル・ディスプレイ）、電源などのような一般的なコンピューティング要素を含む。メモリ・ユニットの例は、限定なしに、読み出し専用メモリ（ROM）、ランダム・アクセス・メモリ（RAM）、動的RAM（DRAM）、倍速データ・レートDRAM（DDRAM）、同期DRAM（SDRAM）、静的RAM（SRAM）、プログラム可能型ROM（PROM）、消去可能なプログラム可能型ROM（EPROM）、電気的に消去可能なプログラム可能型ROM（EEPROM）、フラッシュメモリ、ポリマー・メモリ（たとえば強誘電性ポリマー・メモリ）、オボニック・メモリ、相変化または強誘電性メモリ、シリコン‐酸化物‐窒化物‐酸化物‐シリコン（SONOS）メモリ、磁気または光学式カード、独立したディスクの冗長なアレイ（RAID）ドライブのような装置のアレイ、半導体メモリ・デバイス（たとえばUSBメモリ、半導体ドライブ（SSD））および情報を記憶するのに好適な他の任意の型の記憶媒体を含みうる。
【００４７】
装置７００はたとえば、ウルトラモバイル装置、モバイル装置、固定された装置、マシンツーマシン（M2M）装置、携帯情報端末（PDA:  personal  digital  assistant）、モバイル・コンピューティング装置、スマートフォン、電話、デジタル電話、セルラー電話、ユーザー装置（user  equipment）、電子書籍リーダー、ハンドセット、一方向ポケベル、双方向ポケベル、メッセージング装置、コンピュータ、パーソナル・コンピュータ（PC）、デスクトップ・コンピュータ、ラップトップ・コンピュータ、ノートブック・コンピュータ、ネットブック・コンピュータ、ハンドヘルド・コンピュータ、タブレット・コンピュータ、サーバー、サーバー・アレイまたはサーバー・ファーム、ウェブ・サーバー、ネットワーク・サーバー、インターネット・サーバー、ワークステーション、ミニコンピュータ、メインフレーム・コンピュータ、スーパーコンピュータ、ネットワーク・アプライアンス、ウェブ・アプライアンス、分散式コンピューティング・システム、マイクロプロセッサ・システム、プロセッサ・ベースのシステム、コンピュータ電子回路、プログラム可能な消費者電子機器、ゲーム装置、ディスプレイ、テレビジョン、デジタル・テレビジョン、セットトップボックス、無線アクセス・ポイント、基地局、ノードB、加入者局、モバイル加入者センター、電波ネットワーク・コントローラ、ルーター、ハブ、ゲートウェイ、ブリッジ、スイッチ、マシンまたはそれらの組み合わせでありうる。よって、本稿に記載された装置７００の機能および／または具体的構成は、好適に所望されるに応じて、装置７００のさまざまな実施形態において含められたり、あるいは省略されたりしてもよい。
【００４８】
装置７００の実施形態は、単一入力単一出力（SISO）アーキテクチャを使って実装されてもよい。しかしながら、ある種の実装は、ビームフォーミングもしくは空間分割多重アクセス（SDMA）のための適応アンテナ技法を使ったおよび／またはMIMO通信技法を使った送信および／または受信のための複数のアンテナ（たとえばアンテナ７１８−ｆ）を含んでいてもよい。
【００４９】
装置７００のコンポーネントおよび特徴は、離散的回路、特定用途向け集積回路（ASIC）、論理ゲートおよび／または単一チップ・アーキテクチャの任意の組み合わせを使って実装されてもよい。さらに、装置７００の特徴は、マイクロコントローラ、プログラマブルな論理アレイおよび／またはマイクロプロセッサまたは好適に適切な場合には上記の任意の組み合わせを使って実装されてもよい。本稿において、ハードウェア、ファームウェアおよび／またはソフトウェア要素は集団的にまたは個々に「論理」または「回路」と称されることがあることを注意しておく。
【００５０】
図７のブロック図に示される例示的装置が、多くの潜在的な実装の、一つの機能的に説明する例を表わしうることは理解されるべきである。よって、付属の図面において描かれているブロック機能の分割、省略または包含は、これらの機能を実装するためのハードウェア・コンポーネント、回路、ソフトウェアおよび／または要素が必ず実施形態において分割され、省略され、あるいは含められることを示すのではない。
【００５１】
図８は、ブロードバンド無線アクセス・システム８００のある実施形態を示している。図８に示されるように、ブロードバンド無線アクセス・システム８００は、インターネット８１０へのモバイル無線アクセスおよび／または固定無線アクセスをサポートできるインターネット８１０型ネットワークなどを含むインターネット・プロトコル（IP）型のネットワークであってもよい。一つまたは複数の実施形態において、ブロードバンド無線アクセス・システム８００は、任意の型の直交周波数分割多重アクセス（OFDMA）ベースのまたは単一搬送波周波数分割多重アクセス（SC-FDMA）ベースの無線ネットワークを含んでいてもよい。たとえば、3GPP  LTE仕様および／またはIEEE802.16規格の一つまたは複数に準拠するシステムである。特許請求される主題の範囲はこれらの点において限定されない。
【００５２】
例示的なブロードバンド無線アクセス・システム８００では、電波アクセス・ネットワーク（RAN）８１２および８１８は、それぞれ進化型ノードB（eNB）８１４および８２０と結合することができる。一つまたは複数の固定装置８１６とインターネット８１０との間および／または一つまたは複数のモバイル装置８２２とインターネット８１０との間の無線通信を提供するためである。固定装置８１６およびモバイル装置８２２の一例は図７の装置７００であり、固定装置８１６は装置７００の静的なバージョンを含み、モバイル装置８２２は装置７００のモバイル・バージョンを含む。RAN  ８１２および８１８は、ブロードバンド無線アクセス・システム８００上の一つまたは複数の物理的エンティティへのネットワーク機能のマッピングを定義することができるプロファイルを実装していてもよい。eNB  ８１４および８２０は、装置７００を参照して記述されたような固定装置８１６および／またはモバイル装置８２２とのRF通信を提供する電波設備を有していてもよく、たとえば、3GPP  LTE仕様またはIEEE802.16規格に準拠するPHYおよびMAC層設備を有していてもよい。eNB  ８１４および８２０はさらに、RAN  ８１２および８１８を介してそれぞれインターネット８１０に結合するためにIPバックプレーンを有していてもよい。ただし、特許請求される主題の範囲はこれらの点において限定されない。
【００５３】
ブロードバンド無線アクセス・システム８００はさらに、訪問されるコア・ネットワーク（CN）およびホームCN  ８２６を含んでいてもよく、そのそれぞれは、一つまたは複数のネットワーク機能を提供することができてもよい。該ネットワーク機能は、これに限られないが、プロキシおよび／またはリレー型機能、たとえば、認証・認可・課金（AAA:  authentication,  authorization  and  accounting）機能、動的ホスト構成設定プロトコル（DHCP）機能またはドメイン名サービス制御など、ドメイン・ゲートウェイ、たとえば公衆電話交換網（PSTN）ゲートウェイまたはインターネット・プロトコルを通じた音声（VoIP:  voice  over  internet  protocol）ゲートウェイおよび／またはインターネット・プロトコル（IP）型のサーバー機能などを含む。しかしながら、これらは単に、訪問されるCN  ８２４および／またはホームCN  ８２６によって提供されることのできる機能の型の例であり、特許請求される主題の範囲はこれらの点において限定されない。訪問されるCN  ８２４は、訪問されるCN  ８２４が固定装置８１６またはモバイル装置８２２の正規のサービス・プロバイダーの一部でない場合、たとえば固定装置８１６またはモバイル装置８２２がそれぞれのホームCN  ８２６から離れてローミングしている場合、あるいはブロードバンド無線アクセス・システム８００が固定装置８１６またはモバイル装置８２２の正規のサービス・プロバイダーの一部であるがブロードバンド無線アクセス・システム８００が固定装置８１６またはモバイル装置８２２のメイン位置またはホーム位置でない別の位置または状態にありうる場合に、訪問されるCNと称されうる。実施形態はこのコンテキストにおいて限定されない。
【００５４】
固定装置８１６は、eNB  ８１４および８２０の一方または両方の圏内の任意のところ、たとえば自宅または会社またはその近くに位置されて、eNB  ８１４および８２０およびそれぞれRAN  ８１２および８１８およびホームCN  ８２６を介してインターネット８１０への自宅または会社の消費者ブロードバンド・アクセスを提供しうる。固定装置８１６は一般に静的な位置に配置されているが、必要に応じて異なる位置に動かされることがあることを注意しておく価値がある。モバイル装置８２２は、モバイル装置８２２がたとえばeNB  ８１４および８２０の一方または両方の圏内である場合に、一つまたは複数の位置において利用されうる。一つまたは複数の実施形態によれば、動作サポート・システム（OSS:  operation  support  system）８２８がブロードバンド無線アクセス・システム８００の一部であって、ブロードバンド無線アクセス・システム８００のための管理機能を提供し、ブロードバンド無線アクセス・システム８００の機能エンティティの間のインターフェースを提供してもよい。図８のブロードバンド無線アクセス・システム８００は単にブロードバンド無線アクセス・システム８００のコンポーネントのうちのいくつかを示す一つの型の無線ネットワークであり、特許請求される主題の範囲はこれらの点において限定されない。
【００５５】
さまざまな実施形態は、ハードウェア要素、ソフトウェア要素または両者の組み合わせを使って実装されてもよい。ハードウェア要素の例は、プロセッサ、マイクロプロセッサ、回路、
回路素子（たとえばトランジスタ、抵抗器、キャパシタ、インダクタなど）、集積回路、特定用途向け集積回路（ASIC）、プログラム可能な論理デバイス（PLD）、デジタル信号プロセッサ（DSP）、フィールド・プログラマブル・ゲート・アレイ（FPGA）、論理ゲート、レジスタ、半導体デバイス、チップ、マイクロチップ、チップセットなどを含みうる。ソフトウェアの例は、ソフトウェア・コンポーネント、プログラム、アプリケーション、コンピュータ・プログラム、アプリケーション・プログラム、システム・プログラム、マシン・プログラム、オペレーティング・システム・ソフトウェア、ミドルウェア、ファームウェア、ソフトウェア・モジュール、ルーチン、サブルーチン、関数、メソッド、プロシージャ、ソフトウェア・インターフェース、アプリケーション・プログラム・インターフェース（API）、命令セット、コンピューティング・コード、コンピュータ・コード、コード・セグメント、コンピュータ・コード・セグメント、語、値、シンボルまたはそれらの任意の組み合わせを含みうる。実施形態がハードウェア要素および／またはソフトウェア要素を使って実装されるかどうかを決定することは、所望される計算速度、電力レベル、熱耐性、処理サイクル予算、入力データ・レート、出力データ・レート、メモリ資源、データ・バス速度および他の設計もしくは性能制約条件のようないくつもの要因によって変わりうる。
【００５６】
少なくとも一つの実施形態の一つまたは複数の側面は、機械によって読まれたときに該機械に本稿に記載される技法を実行する論理を製作させる、プロセッサ内のさまざまな論理を表わす機械可読媒体上に記憶された表現する命令によって実装されてもよい。「IPコア」として知られるそのような表現は有体の機械可読媒体上に記憶されて、さまざまな消費者または製造施設に供給されて、実際に前記論理またはプロセッサをなす製作機械にロードされてもよい。いくつかの実施形態は、たとえば、機械によって実行されたときに該機械に実施形態に基づく方法および／または動作を実行させうる命令または命令の集合を記憶しうる機械可読媒体または物品を使って実装されてもよい。そのような機械はたとえば、任意の好適な処理プラットフォーム、コンピューティング・プラットフォーム、コンピューティング装置、処理装置、コンピューティング・システム、処理システム、コンピュータ・プロセッサなどを含んでいてもよく、ハードウェアおよび／またはソフトウェアの任意の好適な組み合わせを使って実装されてもよい。機械可読媒体または物品は、たとえば、任意の好適な型のメモリ・ユニット、メモリ・デバイス、メモリ物品、メモリ媒体、記憶デバイス、記憶物品、記憶媒体および／または記憶ユニット、たとえばメモリ、リムーバブルまたは非リムーバブル媒体、消去可能または消去可能でない媒体、書き込み可能または書き換え可能な媒体、デジタルまたはアナログ媒体、ハードディスク、フロッピーディスク、コンパクトディスク読み出し専用メモリ（CD-ROM）、記録可能型コンパクトディスク（CD-R）、書き換え可能型コンパクトディスク（CD-RW）、光ディスク、磁気媒体、光磁気媒体、リムーバブル・メモリ・カードもしくはディスク、さまざまな型のデジタル多用途ディスク（DVD）、テープ、カセットなどを含んでいてもよい。命令は、任意の好適な高レベル、低レベル、オブジェクト指向、ビジュアル、コンパイルされるおよび／またはインタープリットされるプログラミング言語を使って実装される、ソースコード、コンパイルされるコード、インタープリットされるコード、実行可能なコード、静的なコード、動的なコード、暗号化されたコードなどのような任意の好適な型のコードを含んでいてもよい。
【実施例】
【００５７】
以下の例はさらなる実施形態に関する。
〔実施例１〕論理を有するユーザー装置（UE）であって、前記論理の少なくとも一部はハードウェアであり、前記論理は、一つまたは複数のセル間調整された小セルDRXパラメータを含む小セル不連続受信（DRX）構成設定IEを含む小セルRRC構成設定情報要素（IE）を有する電波資源制御（RRC）構成設定情報メッセージを受領するものであり、前記論理は、小セルDRXサイクルについての開始時刻を、前記一つまたは複数のセル間調整された小セルDRXパラメータの少なくとも一つに基づいて決定し、決定された開始時刻において前記小セルDRXサイクルを開始する、UE。
〔実施例２〕前記一つまたは複数のセル間調整された小セルDRXパラメータが小セルDRXオフセット値を含む、実施例１記載のUE。
〔実施例３〕前記小セルDRXオフセット値が、当該UEについてのマスターセル・グループ（MCG）と当該UEについての副次セル・グループ（SCG）の間のタイミング・オフセットを示す、実施例２記載のUE。
〔実施例４〕前記小セルDRXオフセット値が前記タイミング・オフセットを、1サブフレームより大きくない粒度のレベルで示す、実施例３記載のUE。
〔実施例５〕前記論理が、前記小セルDRXサイクルについての開始時刻を、前記小セルDRXオフセット値に基づいて決定する、実施例２記載のUE。
〔実施例６〕前記小セルDRX構成設定IEが、当該UEの小セルDRX動作を制御するための小セルDRXパラメータの集合を含む、実施例１記載のUE。
〔実施例７〕小セルDRXパラメータの前記集合が、当該UEのサービスする小セルの長いDRXサイクルを、当該UEのサービスするマクロセルの長いDRXサイクルと揃えるよう選択された一つまたは複数のパラメータを含む、実施例６記載のUE。
〔実施例８〕小セルDRXパラメータの前記集合が、当該UEのサービスする小セルのDRX「オン」継続時間を、当該UEのサービスするマクロセルのDRX「オン」継続時間と揃えるよう選択された一つまたは複数のパラメータを含む、実施例６記載のUE。
〔実施例９〕一つまたは複数の電波周波数（RF）トランシーバと、一つまたは複数のRFアンテナとを有する、実施例１ないし８のうちいずれか一項記載のUE。
〔実施例１０〕タッチスクリーン・ディスプレイを有する実施例９記載のUE。
〔実施例１１〕論理を有する進化型ノードB（eNB）であって、前記論理の少なくとも一部はハードウェアであり、前記論理は、デュアル接続されたユーザー装置（UE）についてのマクロセル不連続受信（DRX）パラメータの集合を選択し、小セル・タイミング情報を含むX2インターフェース・メッセージを受領し、前記小セル・タイミング情報に基づいて小セルDRXオフセット値を決定し、マクロセルDRXパラメータの前記集合および前記小セルDRXオフセット値を含む電波資源制御（RRC）構成設定メッセージを送る、eNB。
〔実施例１２〕前記小セル・タイミング情報は小セル・システム・フレーム番号（SFN）と、該小セルSFNに対応する小セル・フレームの開始時刻を含む絶対時刻とを含む、実施例１１記載のeNB。
〔実施例１３〕前記小セル・タイミング情報は小セル・システム・フレーム番号（SFN）と、小セル・サブフレーム番号と、前記小セルSFNに対応する小セル・フレーム内の小セル・サブフレームの開始時刻を含む絶対時刻とを含み、前記小セル・サブフレームは前記小セル・サブフレーム番号に対応する、実施例１１記載のeNB。
〔実施例１４〕前記小セルDRXオフセット値は、ある小セルのシステム・タイミングと当該eNBによってサービスされるマクロセルのシステム・タイミングとの間のオフセットを示す、実施例１１記載のeNB。
〔実施例１５〕前記論理は、前記小セルDRXオフセット値を、1サブフレーム未満の粒度のレベルで決定する、実施例１１記載のeNB。
〔実施例１６〕前記RRC構成設定メッセージが、マクロセルDRXパラメータの前記集合を含むRadioResourceConfigDedicated  IEを含み、前記小セルDRXオフセット値を含む小セルRRC構成設定IEを含む、実施例１１記載のeNB。
〔実施例１７〕前記小セルRRC構成設定IEが、前記小セルDRXオフセット値を含む小セルDRX構成設定IEを含む、実施例１６記載のeNB。
〔実施例１８〕前記論理が、当該eNBによってサービスされるマクロセルに関してDRXモードにはいるよう前記デュアル接続されたUEに命令するようDRXコマンド媒体アクセス制御（MAC）制御要素（CE）を送り、X2インターフェース接続を通じて前記DRXコマンドMAC  CEを転送するようX2  MAC  CEメッセージを送る、実施例１１記載のeNB。
〔実施例１９〕少なくとも一つの電波周波数（RF）トランシーバと、少なくとも一つのRFアンテナとを有する、実施例１１ないし１８のうちいずれか一項記載のeNB。
〔実施例２０〕論理を有する進化型ノードB（eNB）であって、前記論理の少なくとも一部はハードウェアであり、前記論理は、マクロセル・タイミング情報を含むX2タイミング情報メッセージをX2インターフェース接続を通じて受領し、前記論理は、前記マクロセル・タイミング情報に基づいて小セル不連続受信（DRX）パラメータの集合を選択し、前記X2インターフェース接続を通じてX2電波資源制御（RRC）構成設定情報メッセージを送って小セルDRXパラメータの選択された集合を報告する、eNB。
〔実施例２１〕前記論理は、デュアル接続されたユーザー装置（UE）のために小セルDRXパラメータの前記集合を選択する、実施例２０記載のeNB。
〔実施例２２〕前記論理は、前記集合の小セルDRXパラメータの一つまたは複数を、当該eNBによってサービスされる小の長いDRXサイクルを、前記デュアル接続されたUEのサービスするマクロセルの長いDRXサイクルと揃えるよう選択する、実施例２０記載のeNB。
〔実施例２３〕前記論理は、前記集合の小セルDRXパラメータの一つまたは複数を、当該eNBによってサービスされる小のDRX「オン」継続時間を、前記デュアル接続されたUEのサービスするマクロセルのDRX「オン」継続時間と揃えるよう選択する、実施例２０記載のeNB。
〔実施例２４〕前記論理は、前記マクロセル・タイミング情報に基づいてセル間タイミング・オフセットを決定し、前記セル間タイミング・オフセットに基づいて小セルDRXパラメータの集合を選択する、実施例２０記載のeNB。
〔実施例２５〕前記論理は、前記セル間タイミング・オフセットをサブフレーム・レベルの粒度で決定する、実施例２４記載のeNB。
〔実施例２６〕前記論理が前記X2インターフェース接続を通じて第二のX2タイミング情報メッセージを送り、前記第二のX2タイミング情報メッセージは、当該eNBによってサービスされる小についての小セル・タイミング情報を含む、実施例２０記載のeNB。
〔実施例２７〕前記論理が、X2媒体アクセス制御（MAC）制御要素（CE）メッセージを前記X2インターフェース接続を通じて受領し、前記X2  MAC  CEメッセージはDRXコマンドMAC  CEを含む、実施例２０記載のeNB。
〔実施例２８〕一つまたは複数の電波周波数（RF）トランシーバと、一つまたは複数のRFアンテナとを有する、実施例２０ないし２７のうちいずれか一項記載のeNB。
〔実施例２９〕無線通信命令の集合を有する少なくとも一つの非一時的なコンピュータ可読記憶媒体であって、前記命令は、進化型ノードB（eNB）において実行されるのに応答して、該eNBに：デュアル接続されたユーザー装置（UE）についてのマクロセル不連続受信（DRX）パラメータの集合を選択し；小セル・タイミング情報を含むX2インターフェース・メッセージを受領し；前記小セル・タイミング情報に基づいて小セルDRXオフセット値を決定し；マクロセルDRXパラメータの前記集合および前記小セルDRXオフセット値を含む電波資源制御（RRC）構成設定メッセージを送ることを行なわせる、少なくとも一つの非一時的なコンピュータ可読記憶媒体。
〔実施例３０〕前記小セル・タイミング情報は小セル・システム・フレーム番号（SFN）と、該小セルSFNに対応する小セル・フレームの開始時刻を含む絶対時刻とを含む、実施例２９記載の少なくとも一つの非一時的なコンピュータ可読記憶媒体。
〔実施例３１〕前記小セル・タイミング情報は小セル・システム・フレーム番号（SFN）と、小セル・サブフレーム番号と、前記小セルSFNに対応する小セル・フレーム内の小セル・サブフレームの開始時刻を含む絶対時刻とを含み、前記小セル・サブフレームは前記小セル・サブフレーム番号に対応する、実施例２９記載の少なくとも一つの非一時的なコンピュータ可読記憶媒体。
〔実施例３２〕前記小セルDRXオフセット値は、ある小セルのシステム・タイミングと当該eNBによってサービスされるマクロセルのシステム・タイミングとの間のオフセットを示す、実施例２９記載の少なくとも一つの非一時的なコンピュータ可読記憶媒体。
〔実施例３３〕前記eNBにおいて実行されるのに応答して、前記eNBに、前記小セルDRXオフセット値を、1サブフレーム未満の粒度のレベルで決定させる無線通信命令を有する、実施例２９記載の少なくとも一つの非一時的なコンピュータ可読記憶媒体。
〔実施例３４〕前記RRC構成設定メッセージが、マクロセルDRXパラメータの前記集合を含むRadioResourceConfigDedicated  IEを含み、前記小セルDRXオフセット値を含む小セルRRC構成設定IEを含む、実施例２９記載の少なくとも一つの非一時的なコンピュータ可読記憶媒体。
〔実施例３５〕前記小セルRRC構成設定IEが、前記小セルDRXオフセット値を含む小セルDRX構成設定IEを含む、実施例３４記載の少なくとも一つの非一時的なコンピュータ可読記憶媒体。
〔実施例３６〕前記eNBにおいて実行されるのに応答して、前記eNBに：前記eNBによってサービスされるマクロセルに関してDRXモードにはいるよう前記デュアル接続されたUEに命令するようDRXコマンド媒体アクセス制御（MAC）制御要素（CE）を送り、X2インターフェース接続を通じて前記DRXコマンドMAC  CEを転送するようX2  MAC  CEメッセージを送ることを行なわせる無線通信命令を有する、実施例２９記載の少なくとも一つの非一時的なコンピュータ可読記憶媒体。
〔実施例３７〕マクロセル・タイミング情報を含むX2タイミング情報メッセージをX2インターフェース接続を通じて進化型ノードB（eNB）において受領し、前記eNBの処理回路によって、前記マクロセル・タイミング情報に基づいて小セル不連続受信（DRX）パラメータの集合を選択し、前記X2インターフェース接続を通じてX2電波資源制御（RRC）構成設定情報メッセージを送って小セルDRXパラメータの選択された集合を報告することを含む、無線通信方法。
〔実施例３８〕デュアル接続されたユーザー装置（UE）のために小セルDRXパラメータの前記集合を選択することを含む、実施例３７記載の無線通信方法。
〔実施例３９〕前記集合の小セルDRXパラメータの一つまたは複数を、前記eNBによってサービスされる小の長いDRXサイクルを、前記デュアル接続されたUEのサービスするマクロセルの長いDRXサイクルと揃えるよう選択することを含む、実施例３７記載の無線通信方法。
〔実施例４０〕前記集合の小セルDRXパラメータの一つまたは複数を、前記eNBによってサービスされる小のDRX「オン」継続時間を、前記デュアル接続されたUEのサービスするマクロセルのDRX「オン」継続時間と揃えるよう選択することを含む、実施例３７記載の無線通信方法。
〔実施例４１〕前記マクロセル・タイミング情報に基づいてセル間タイミング・オフセットを決定し、前記セル間タイミング・オフセットに基づいて小セルDRXパラメータの前記集合を選択することを含む、実施例３７記載の無線通信方法。
〔実施例４２〕前記セル間タイミング・オフセットをサブフレーム・レベルの粒度で決定することを含む、実施例４１記載の無線通信方法。
〔実施例４３〕前記X2インターフェース接続を通じて第二のX2タイミング情報メッセージを送り、前記第二のX2タイミング情報メッセージは、前記eNBによってサービスされる小についての小セル・タイミング情報を含む、実施例３７記載の無線通信方法。
〔実施例４４〕X2媒体アクセス制御（MAC）制御要素（CE）メッセージを前記X2インターフェース接続を通じて受領することを含み、前記X2  MAC  CEメッセージはDRXコマンドMAC  CEを含む、実施例３７記載の無線通信方法。
〔実施例４５〕コンピューティング装置上で実行されるのに応答して、前記コンピューティング装置に、実施例３７ないし４４のうちいずれか一項記載の無線通信方法を実行させる命令の集合を有する少なくとも一つの非一時的なコンピュータ可読記憶媒体。
〔実施例４６〕実施例３７ないし４４のうちいずれか一項記載の無線通信方法を実行するための手段を有する装置。
〔実施例４７〕実施例４６記載の装置と、少なくとも一つの電波周波数（RF）トランシーバと、少なくとも一つのRFアンテナとを有する、システム。
〔実施例４８〕ユーザー装置（UE）において、一つまたは複数のセル間調整された小セルDRXパラメータを含む小セル不連続受信（DRX）構成設定IEを含む小セルRRC構成設定情報要素（IE）を有する電波資源制御（RRC）構成設定情報メッセージを受領し、前記UEの処理回路によって、小セルDRXサイクルについての開始時刻を、前記一つまたは複数のセル間調整された小セルDRXパラメータの少なくとも一つに基づいて決定し、決定された開始時刻において前記小セルDRXサイクルを開始することを含む、無線通信方法。
〔実施例４９〕前記一つまたは複数のセル間調整された小セルDRXパラメータが小セルDRXオフセット値を含む、実施例４８記載の無線通信方法。
〔実施例５０〕前記小セルDRXオフセット値が、前記UEについてのマスターセル・グループ（MCG）と前記UEについての副次セル・グループ（SCG）の間のタイミング・オフセットを示す、実施例４９記載の無線通信方法。
〔実施例５１〕前記小セルDRXオフセット値が前記タイミング・オフセットを、1サブフレームより大きくない粒度のレベルで示す、実施例５０記載の無線通信方法。
〔実施例５２〕前記小セルDRXサイクルについての開始時刻を、前記小セルDRXオフセット値に基づいて決定することを含む、実施例４９記載の無線通信方法。
〔実施例５３〕前記小セルDRX構成設定IEが、前記UEの小セルDRX動作を制御するための小セルDRXパラメータの集合を含む、実施例５３記載の無線通信方法。
〔実施例５４〕小セルDRXパラメータの前記集合が、前記UEのサービスする小セルの長いDRXサイクルを、前記UEのサービスするマクロセルの長いDRXサイクルと揃えるよう選択された一つまたは複数のパラメータを含む、実施例５３記載の無線通信方法。
〔実施例５５〕小セルDRXパラメータの前記集合が、前記UEのサービスする小セルのDRX「オン」継続時間を、前記UEのサービスするマクロセルのDRX「オン」継続時間と揃えるよう選択された一つまたは複数のパラメータを含む、実施例５３記載の無線通信方法。
〔実施例５６〕コンピューティング装置上で実行されるのに応答して、前記コンピューティング装置に、実施例４８ないし５５のうちいずれか一項記載の無線通信方法を実行させる命令の集合を有する少なくとも一つの非一時的なコンピュータ可読記憶媒体。
〔実施例５７〕実施例４８ないし５５のうちいずれか一項記載の無線通信方法を実行するための手段を有する装置。
〔実施例５８〕実施例５７記載の装置と、少なくとも一つの電波周波数（RF）トランシーバと、少なくとも一つのRFアンテナとを有する、システム。
〔実施例５９〕タッチスクリーン・ディスプレイを有する実施例５８記載のシステム。
〔実施例６０〕無線通信命令の集合を有する少なくとも一つの非一時的なコンピュータ可読記憶媒体であって、前記命令は、進化型ノードB（eNB）において実行されるのに応答して、該eNBに：マクロセル・タイミング情報を含むX2タイミング情報メッセージをX2インターフェース接続を通じて受領し、前記マクロセル・タイミング情報に基づいて小セル不連続受信（DRX）パラメータの集合を選択し、前記X2インターフェース接続を通じてX2電波資源制御（RRC）構成設定情報メッセージを送って小セルDRXパラメータの選択された集合を報告することを行なわせる、少なくとも一つの非一時的なコンピュータ可読記憶媒体。
〔実施例６１〕前記eNBにおいて実行されることに応答して、前記eNBに、デュアル接続されたユーザー装置（UE）のために小セルDRXパラメータの前記集合を選択させる無線通信命令を有する、実施例６０記載の少なくとも一つの非一時的なコンピュータ可読記憶媒体。
〔実施例６２〕前記eNBにおいて実行されることに応答して、前記eNBに、前記集合の小セルDRXパラメータの一つまたは複数を、前記eNBによってサービスされる小の長いDRXサイクルを、前記デュアル接続されたUEのサービスするマクロセルの長いDRXサイクルと揃えるよう選択させる無線通信命令を有する、実施例６０記載の少なくとも一つの非一時的なコンピュータ可読記憶媒体。
〔実施例６３〕前記eNBにおいて実行されることに応答して、前記eNBに、前記集合の小セルDRXパラメータの一つまたは複数を、前記eNBによってサービスされる小のDRX「オン」継続時間を、前記デュアル接続されたUEのサービスするマクロセルのDRX「オン」継続時間と揃えるよう選択させる無線通信命令を有する、実施例６０記載の少なくとも一つの非一時的なコンピュータ可読記憶媒体。
〔実施例６４〕前記eNBにおいて実行されることに応答して、前記eNBに、前記マクロセル・タイミング情報に基づいてセル間タイミング・オフセットを決定し、前記セル間タイミング・オフセットに基づいて小セルDRXパラメータの集合を選択することをさせる無線通信命令を有する、実施例６０記載の少なくとも一つの非一時的なコンピュータ可読記憶媒体。
〔実施例６５〕前記eNBにおいて実行されることに応答して、前記eNBに、前記セル間タイミング・オフセットをサブフレーム・レベルの粒度で決定させる無線通信命令を有する、実施例６４記載の少なくとも一つの非一時的なコンピュータ可読記憶媒体。
〔実施例６６〕前記eNBにおいて実行されることに応答して、前記eNBに、前記X2インターフェース接続を通じて第二のX2タイミング情報メッセージを送らせる無線通信命令を有しており、前記第二のX2タイミング情報メッセージは、前記eNBによってサービスされる小についての小セル・タイミング情報を含む、実施例６０記載の少なくとも一つの非一時的なコンピュータ可読記憶媒体。
〔実施例６７〕前記eNBにおいて実行されることに応答して、前記eNBに、X2媒体アクセス制御（MAC）制御要素（CE）メッセージを前記X2インターフェース接続を通じて受領させる無線通信命令を有しており、前記X2  MAC  CEメッセージはDRXコマンドMAC  CEを含む、実施例６０記載の少なくとも一つの非一時的なコンピュータ可読記憶媒体。
〔実施例６８〕無線通信命令の集合を有する少なくとも一つの非一時的なコンピュータ可読記憶媒体であって、前記命令は、ユーザー装置（UE）上で実行されるのに応答して、前記UEに：一つまたは複数のセル間調整された小セルDRXパラメータを含む小セル不連続受信（DRX）構成設定IEを含む小セルRRC構成設定情報要素（IE）を有する電波資源制御（RRC）構成設定情報メッセージを受領し、小セルDRXサイクルについての開始時刻を、前記一つまたは複数のセル間調整された小セルDRXパラメータの少なくとも一つに基づいて決定し、決定された開始時刻において前記小セルDRXサイクルを開始することを行なわせるものである、少なくとも一つの非一時的なコンピュータ可読記憶媒体。
〔実施例６９〕前記一つまたは複数のセル間調整された小セルDRXパラメータが小セルDRXオフセット値を含む、実施例６８記載の少なくとも一つの非一時的なコンピュータ可読記憶媒体。
〔実施例７０〕前記小セルDRXオフセット値が、前記UEについてのマスターセル・グループ（MCG）と前記UEについての副次セル・グループ（SCG）の間のタイミング・オフセットを示す、実施例６９記載の少なくとも一つの非一時的なコンピュータ可読記憶媒体。
〔実施例７１〕前記小セルDRXオフセット値が前記タイミング・オフセットを、1サブフレームより大きくない粒度のレベルで示す、実施例７０記載の少なくとも一つの非一時的なコンピュータ可読記憶媒体。
〔実施例７２〕前記UE上で実行されるのに応答して前記UEに、前記小セルDRXサイクルについての開始時刻を、前記小セルDRXオフセット値に基づいて決定させる無線通信命令を有する、実施例６９記載の少なくとも一つの非一時的なコンピュータ可読記憶媒体。
〔実施例７３〕前記小セルDRX構成設定IEが、前記UEの小セルDRX動作を制御するための小セルDRXパラメータの集合を含む、実施例６８記載の少なくとも一つの非一時的なコンピュータ可読記憶媒体。
〔実施例７４〕小セルDRXパラメータの前記集合が、前記UEのサービスする小セルの長いDRXサイクルを、前記UEのサービスするマクロセルの長いDRXサイクルと揃えるよう選択された一つまたは複数のパラメータを含む、実施例７３記載の少なくとも一つの非一時的なコンピュータ可読記憶媒体。
〔実施例７５〕小セルDRXパラメータの前記集合が、前記UEのサービスする小セルのDRX「オン」継続時間を、前記UEのサービスするマクロセルのDRX「オン」継続時間と揃えるよう選択された一つまたは複数のパラメータを含む、実施例７３記載の少なくとも一つの非一時的なコンピュータ可読記憶媒体。
〔実施例７６〕進化型ノードB（eNB）における処理回路によって、デュアル接続されたユーザー装置（UE）についてのマクロセル不連続受信（DRX）パラメータの集合を選択し、小セル・タイミング情報を含むX2インターフェース・メッセージを受領し、前記小セル・タイミング情報に基づいて小セルDRXオフセット値を決定し、マクロセルDRXパラメータの前記集合および前記小セルDRXオフセット値を含む電波資源制御（RRC）構成設定メッセージを送ることを含む、無線通信方法。
〔実施例７７〕前記小セル・タイミング情報は小セル・システム・フレーム番号（SFN）と、該小セルSFNに対応する小セル・フレームの開始時刻を含む絶対時刻とを含む、実施例７６記載の無線通信方法。
〔実施例７８〕前記小セル・タイミング情報は小セル・システム・フレーム番号（SFN）と、小セル・サブフレーム番号と、前記小セルSFNに対応する小セル・フレーム内の小セル・サブフレームの開始時刻を含む絶対時刻とを含み、前記小セル・サブフレームは前記小セル・サブフレーム番号に対応する、実施例７６記載の無線通信方法。
〔実施例７９〕前記小セルDRXオフセット値は、ある小セルのシステム・タイミングと前記eNBによってサービスされるマクロセルのシステム・タイミングとの間のオフセットを示す、実施例７６記載の無線通信方法。
〔実施例８０〕前記小セルDRXオフセット値を、1サブフレーム未満の粒度のレベルで決定することを含む、実施例７６記載の無線通信方法。
〔実施例８１〕前記RRC構成設定メッセージが、マクロセルDRXパラメータの前記集合を含むRadioResourceConfigDedicated  IEを含み、前記小セルDRXオフセット値を含む小セルRRC構成設定IEを含む、実施例７６記載の無線通信方法。
〔実施例８２〕前記小セルRRC構成設定IEが、前記小セルDRXオフセット値を含む小セルDRX構成設定IEを含む、実施例８１記載の無線通信方法。
〔実施例８３〕前記eNBによってサービスされるマクロセルに関してDRXモードにはいるよう前記デュアル接続されたUEに命令するようDRXコマンド媒体アクセス制御（MAC）制御要素（CE）を送り、X2インターフェース接続を通じて前記DRXコマンドMAC  CEを転送するようX2  MAC  CEメッセージを送ることを含む、実施例７６記載の無線通信方法。
〔実施例８４〕コンピューティング装置上で実行されるのに応答して、前記コンピューティング装置に、実施例７６ないし８３のうちいずれか一項記載の無線通信方法を実行させる命令の集合を有する少なくとも一つの非一時的なコンピュータ可読記憶媒体。
〔実施例８５〕実施例７６ないし８３のうちいずれか一項記載の無線通信方法を実行するための手段を有する装置。
〔実施例８６〕実施例８５記載の装置と、少なくとも一つの電波周波数（RF）トランシーバと、少なくとも一つのRFアンテナとを有する、システム。
【００５８】
本稿では、実施形態の十全な理解を提供するために、数多くの個別的詳細が記載された。しかしながら、実施形態がそうした個別的詳細なしでも実施できることは当業者には理解されるであろう。実施形態を埋没させないよう、よく知られた動作、コンポーネントおよび回路は詳細には記載していない。本稿に開示される個別的な構造および機能の詳細は代表的であることがあり、必ずしも実施形態の範囲を限定しないことは理解できる。
【００５９】
いくつかの実施形態は、表現「結合された」および「接続された」ならびにその派生形を使って記述されることがある。これらの用語は互いの同義語として意図されていない。たとえば、いくつかの実施形態は、二つ以上の要素が互いに直接的に物理的または電気的に接触していることを示すために用語「接続された」および／または「結合された」を使って記述されることがある。しかしながら、用語「結合された」は二つ以上の要素が互いに直接接触してはいないが、それでも互いと協働または相互作用することを意味することもある。
【００６０】
特にそうでないとの断わりのない限り、「処理」「コンピューティング」「計算」「決定」などの用語は、コンピュータまたはコンピューティング・システムまたは同様の電子コンピューティング装置の、物理的（たとえば電子的）な量としてコンピューティング・システムのレジスタおよび／またはメモリ内で表現されたデータを操作および／または変換して、コンピューティング・システムのメモリ、レジスタまたは他のそのような情報記憶、伝送もしくは表示装置内の物理的な量として同様に表現される他のデータにする動作および／またはプロセスを指すことが理解されうる。実施形態はこの点で限定されるものではない。
【００６１】
本稿に記載される方法は、記載される順序でまたは何らかの特定の順序で実行される必要はないことを注意しておくべきである。さらに、本稿で特定された方法に関して記述されるさまざまな活動は、シリアルまたはパラレルな仕方で実行されることができる。
【００６２】
本稿では、個別的な実施形態が例解され、記述されてきたが、同じ目的を達成するよう計算されたいかなる構成が示された個別的な実施形態の代わりに用いられてもよいことは理解されるべきである。本開示は、さまざまな実施形態の任意のおよびすべての適応または変形をカバーすることが意図されている。上記の記述は制約するのではなく例示的な仕方でなされていることは理解されるものとする。上記の実施形態および本稿で特に記載されていない他の実施形態の組み合わせが、上記の記述を検討すれば当業者には明白となるであろう。このように、さまざまな実施形態の範囲は、上記の組成、構造および方法が使用される他の任意の応用をも含む。
【００６３】
本開示の要約は、読者が技術的開示の性質を迅速に見きわめることを許容する要約を要求する連邦規則集（C.F.R.）37第1.72(b)条に準拠するために提供されている。要約は、請求項の範囲や意味を解釈または限定するために使用されないという理解で提出される。さらに、上記の詳細な説明において、開示の流れをよくする目的で、さまざまな特徴が単一の実施形態にまとめられていることが見て取れる。この開示法は、請求される実施形態が、各請求項に明示的に記載されているよりも多くの事項を必要とするという意図を反映したものと解釈されるものではない。むしろ、付属の請求項が反映するように、発明の主題は、単一の開示される実施形態の全事項よりも少ないものに存する。このように、付属の請求項は、ここに詳細な説明に組み込まれ、各請求項がそれ自身として別個の好ましい実施形態をなす。付属の請求項において、用語「含む」および「ここで」は、それぞれ用語「有する」および「ここにおいて」の平易な英語の等価物として使われる。さらに、用語「第一」「第二」「第三」などは、単にラベルとして使われ、それらの対象に対する数的な要件を課すことは意図されていない。
【００６４】
主題は構造的な特徴および／または方法論的な工程に固有の言辞で記載されているが、付属の請求項の主題は必ずしも上記の個別的な特徴または工程に限定されないことは理解されるものとする。むしろ、上記の個別的な特徴や工程は請求項を実施する例示的な形として開示されている。
【図１】
0006370908.tif 000002
【図２】
0006370908.tif 000003
【図３】
0006370908.tif 000004
【図４】
0006370908.tif 000005
【図５】
0006370908.tif 000006
【図６】
0006370908.tif 000007
【図７】
0006370908.tif 000008
【図８】
0006370908.tif 000009